(57)【要約】【課題】個々のリハビリ患者に最適な表示速度のリハビリ手本コンテンツを提供し効果的なトレーニングを行なえるリハビリテーション支援装置を提供する。【解決手段】リハビリテーションの対象となるリハビリ患者向けに送出した手本コンテンツの過去の表示速度を蓄積する患者情報蓄積手段と、リハビリ患者の生体情報を受信する患者情報受信手段と、リハビリ患者の周囲気候データを受信する気候情報受信手段と、過去の表示速度と生体情報と周囲気候データとに基づき手本コンテンツの表示速度を決定しリハビリ患者に向けて送出する手本コンテンツ送出手段と、を備えた構成を採る。【選択図】図１
2017084314.tif 000002
【特許請求の範囲】
【請求項１】
リハビリテーションの対象となるリハビリ患者向けに送出した手本コンテンツの過去の表示速度を蓄積する患者情報蓄積手段と、
前記リハビリ患者の生体情報を受信する患者情報受信手段と、
前記リハビリ患者の周囲気候データを受信する気候情報受信手段と、
前記過去の表示速度と前記生体情報と前記周囲気候データとに基づき手本コンテンツの表示速度を決定し前記リハビリ患者に向けて送出する手本コンテンツ送出手段と、
を備えたリハビリテーション支援装置。
【請求項２】
前記生体情報は、心拍数であることを特徴とする請求項１に記載のリハビリテーション支援装置。
【請求項３】
前記生体情報は、さらに体温を含むことを特徴とする請求項２に記載のリハビリテーション支援装置。
【請求項４】
前記周囲気候データは、気温であることを特徴とする請求項１乃至３のいずれか一項に記載のリハビリテーション支援装置。
【請求項５】
前記周囲気候データは、湿度であることを特徴とする請求項１乃至４のいずれか一項に記載のリハビリテーション支援装置。
【請求項６】
前記手本コンテンツ送出手段は、さらに前記リハビリ患者の年齢も加味して前記手本コンテンツの表示速度を決定することを特徴とする請求項１乃至５のいずれか一項に記載のリハビリテーション支援装置。
【請求項７】
前記手本コンテンツ送出手段は、前記手本コンテンツを、リハビリテーション開始段階では決定した前記手本コンテンツの表示速度より減速して送出し、徐々に前記決定した手本コンテンツの表示速度まで早めて送出することを特徴とする請求項１乃至６のいずれか一項に記載のリハビリテーション支援装置。
【請求項８】
施設や在宅でリハビリテーションの為のトレーニングを支援するリハビリテーション支援装置の制御方法であって、
リハビリテーションの対象となるリハビリ患者向けに送出した手本コンテンツの過去の表示速度を蓄積する患者情報蓄積過程と、
前記リハビリ患者の生体情報を受信する患者情報受信過程と、
前記リハビリ患者の周囲気候データを受信する気候情報受信過程と、
前記過去の表示速度と前記生体情報と前記周囲気候データとに基づき手本コンテンツの表示速度を決定し前記リハビリ患者に向けて送出する手本コンテンツ送出過程と、
を備えたリハビリテーション支援装置の制御方法。
【請求項９】
施設や在宅でリハビリテーションの為のトレーニングを支援するリハビリテーション支援装置をコンピュータにより制御する為の制御プログラムであって、
リハビリテーションの対象となるリハビリ患者向けに送出した手本コンテンツの過去の表示速度を蓄積させ、
前記リハビリ患者の生体情報を受信させ、
前記リハビリ患者の周囲気候データを受信させ、
前記過去の表示速度と前記生体情報と前記周囲気候データとに基づき手本コンテンツの表示速度を決定し前記リハビリ患者に向けて送出させる、
ことを特徴とするリハビリテーション支援装置の制御プログラム。
【発明の詳細な説明】
【技術分野】
【０００１】  本発明は、施設や在宅でリハビリテーションの為のトレーニングを支援する装置、装置の制御方法及び制御プログラムに関する。
【背景技術】
【０００２】  社会の高齢化に伴い、高齢者の人口が増加し、介護が必要となる高齢者も増加している。高齢者が、一般に「寝たきり」と呼ばれる状態になると、本人のみならず介助者にも大きな負担となる。【０００３】  疾病や老化現象などの様々な原因により生じた心身の障害を有する者がより良い生活を送ることを目的として、例えば、リハビリテーション（以降「リハビリ」とも記す）専門医、リハビリテーション看護師、理学療法士、作業療法士、臨床心理士、ソーシャルワーカーなどの多数のリハビリ専門家による連携した支援が行われている。【０００４】  近年、リハビリテーションを支援する介助者の人数が大幅に不足していることも指摘されており、安全に、効率の良いリハビリテーションが行えるようなリハビリテーション支援装置が求められている。【０００５】  例えば、特許文献１には、リハビリ手本映像にリハビリ患者の運動動作が追従できていない場合に、リハビリ手本映像の運動レベルを下げるリハビリテーション支援装置が記載されている。
【先行技術文献】
【特許文献】
【０００６】
【特許文献１】特開２００９−２１３７８２号公報
【発明の概要】
【発明が解決しようとする課題】
【０００７】  特許文献１に記載の装置において、例えば、無理をしないで体力維持をする程度に運動をしておく必要がある脳卒中のリハビリ患者が、努力家の場合など、夏場など高温多湿な室内や冬場で身体が十分温まっていない段階で、機械的に標準的に設定されたトレーニングプログラムに従って無理をしてリハビリ手本映像に追従してリハビリを開始し、身体の状態が以前より悪化してしまう恐れがあるという問題があった。【０００８】  本発明は、この様な従来の問題点を解決するものであり、リハビリ環境も考慮し、個々のリハビリ患者に最適なリハビリ手本コンテンツの表示速度を設定し効果的なトレーニングを行なえるリハビリテーション支援装置、リハビリテーション支援装置の制御方法及び制御プログラムを提供することを目的とする。
【課題を解決するための手段】
【０００９】  本発明のリハビリテーション支援装置は、リハビリテーションの対象となるリハビリ患者向けに送出した手本コンテンツの過去の表示速度を蓄積する患者情報蓄積手段と、前記リハビリ患者の生体情報を受信する患者情報受信手段と、前記リハビリ患者の周囲気候データを受信する気候情報受信手段と、前記過去の表示速度と前記生体情報と前記周囲気候データとに基づき手本コンテンツの表示速度を決定し前記リハビリ患者に向けて送出する手本コンテンツ送出手段と、を備えた構成を採る。
【発明の効果】
【００１０】  本発明によれば、リハビリ環境も考慮し、個々のリハビリ患者に最適な表示速度のリハビリコンテンツを提供し効果的なトレーニングを行なえるリハビリテーション支援装置を提供できる。
【図面の簡単な説明】
【００１１】
【図１】本発明の一実施の形態に係るリハビリテーション支援装置の構成を説明する為の図
【発明を実施するための形態】
【００１２】  以下、本発明の一実施の形態について図面を参照して詳細に説明する。
図１は、本発明の一実施の形態に係るリハビリテーション支援装置の構成を説明する為の図である。
【００１３】  リハビリテーション支援装置１０は、リハビリ患者端末４０と連動し、コンピュータ１２と、メモリ１４と、患者情報蓄積部２０と、患者端末情報受信部２２と、手本コンテンツ送出部２４とを備える。リハビリ患者端末４０は、手本コンテンツ受信部４２と、表示部４４と、気候センサ５３と、カメラ５５と、患者端末情報送信部５７と、を備える。
【００１４】  リハビリ患者３０は、ヘッドフォン型生体情報検出送出ユニット５１を装着している。リハビリテーション支援装置１０の動作は、メモリ１４に格納された制御プログラムによりコンピュータ１２で制御される。
【００１５】  患者情報蓄積部２０は、リハビリ患者３０向けに送出した手本コンテンツの過去の表示速度およびリハビリ患者３０の年齢とを蓄積する。患者端末情報受信部２２は、患者端末情報送信部５７が送信するリハビリ患者端末４０からの情報を受信する。
【００１６】  手本コンテンツ送出部２４は、患者情報蓄積部２０が蓄積している手本コンテンツの過去の表示速度およびリハビリ患者３０の年齢と、患者端末情報受信部２２が受信したリハビリ患者３０の生体情報およびリハビリ患者３０の周囲気候データおよびカメラ５５に映ったリハビリ患者３０の動きと、に基づき手本コンテンツの表示速度を決定して送出する。
【００１７】  手本コンテンツ受信部４２は、リハビリテーション支援装置１０から送信された手本コンテンツを受信する。表示部４４は、手本コンテンツ受信部４２が受信した手本コンテンツをリハビリ患者３０に対して表示する。
【００１８】  ヘッドフォン型生体情報検出送出ユニット５１は、リハビリ患者３０に装着されて取得した生体情報である心拍数および体温を患者端末情報送信部５７に向けて送出する。気候センサ５３は、リハビリ患者３０の周囲の気温と湿度を周囲気候データとして患者端末情報送信部５７に送出する。カメラ５５は、リハビリ患者３０の動きを患者端末情報送信部５７に送出する。
【００１９】  患者端末情報送信部５７は、ヘッドフォン型生体情報検出送出ユニット５１から送出された生体情報と、気候センサ５３が取得した周囲気候データと、カメラ５５に映ったリハビリ患者３０の動きと、をリハビリテーション支援装置１０に送信する。
【００２０】  患者端末情報受信部２２が受信したリハビリテーション開始前のリハビリ患者３０の心拍数が予め定めた値より高い場合、手本コンテンツ送出部２４が送出する手本コンテンツの表示速度を遅くする。
【００２１】  例えば真夏などにおいて、患者端末情報受信部２２が受信した温度と湿度がリハビリテーションに適した予め定めた値より高い場合、手本コンテンツ送出部２４が送出する手本コンテンツの表示速度を遅くする。
【００２２】  逆に真冬などにおいて、患者端末情報受信部２２が受信した温度がリハビリテーションに適した予め定めた値より低い場合、手本コンテンツ送出部２４が送出する手本コンテンツの表示速度を遅くし、患者端末情報受信部２２が受信したリハビリ患者３０の体温が予め定めた温度に達したら手本コンテンツ送出部２４が送出する手本コンテンツの表示速度を速める。
【００２３】  さらに、リハビリテーションの開始段階では手本コンテンツ送出部２４は決定された表示速度より遅い速度で手本コンテンツを送出し始め、リハビリ患者３０のウオーミングアップ時間を考慮して、段階的に手本コンテンツの表示速度を速め、最終的に先に決定された表示速度で手本コンテンツを送出する様にしても良い。
【００２４】  以上説明した様に、本実施の形態によれば、リハビリ環境も考慮し、個々のリハビリ患者に最適な表示速度のリハビリ手本コンテンツを提供でき、リハビリ専門家は安全に、効率の良いリハビリテーション支援が行える。以上の説明は本発明の好適な実施の形態の例証であり、本発明の範囲はこれに限定されることはない。
【００２５】  例えば、リハビリテーション支援装置はリハビリ患者端末と分離されている必要は無く、一体であっても良い。さらに、リハビリテーション支援装置は、例えば情報を統括管理するセンター等の他の装置を介してリハビリ患者端末と情報交換を行っても良い。
【００２６】  さらに、リハビリテーション支援装置とリハビリ患者端末との間の通信を行うネットワーク網は、機器内有線ケーブルでも、機器間有線ケーブルでも、ローカルエリアネットワークでも、広域エリアネットワークでも、有線電話回線でも、衛星電話回線でも、無線ネットワーク網でも、その他の通信手段でも、それらの組み合わせでも良い。
【００２７】  さらに、生体情報は心拍数に限定されない。脈波伝搬速度の測定による血圧推定値でもよく、その併用でも良い。また、生体情報検出送出ユニットはヘッドフォン型に限定されず、腕や足等、身体に装着できる形であれば良い。また、リハビリ患者の体温測定は赤外線センサで取得しても良い。
【産業上の利用の可能性】
【００２８】  本発明に係るリハビリテーション支援装置、リハビリテーション支援装置の制御方法及び制御プログラムは、リハビリ環境も考慮し、個々のリハビリ患者に最適な表示速度のリハビリ手本コンテンツを提供でき、安全に、効率の良いリハビリテーションが行える支援装置、支援装置の制御方法及び制御プログラムとして好適である。
【符号の説明】
【００２９】１０  リハビリテーション支援装置
１２  コンピュータ
１４  メモリ
２０  患者情報蓄積部
２２  患者端末情報受信部
２４  手本コンテンツ送出部
３０  リハビリ患者
４０  リハビリ患者端末
４２  手本コンテンツ受信部
４４  表示部
５１  ヘッドフォン型生体情報検出送出ユニット
５３  気候センサ
５５  カメラ
５７  患者端末情報送信部
【図１】
2017084314.tif 000003